(57)【要約】【課題】  接続される外部記憶手段を識別して給電すべき処理手段を特定することで、使用されない処理手段へ電源が給電されてしまうことを制限する。【解決手段】    所定の画像処理を行うための複数の処理手段と、外部記憶手段を接続する接続手段とを備える画像形成装置において、外部記憶手段が接続されることに応じて、ＣＰＵ１３が当該外部記憶手段にデータを読み書き状態を識別する。そして、ＣＰＵ１３が識別した読み書き状態に応じて前記複数の処理手段のうち、電源を給電すべき処理手段を特定する。そして、ＣＰＵ１３が特定された処理手段へ電源を給電する構成を特徴とする。【選択図】  図３
2014148107.tif 000002
【特許請求の範囲】
【請求項１】
所定の画像処理を行うための複数の処理手段と、
外部記憶手段を接続する接続手段と、
前記外部記憶手段が接続されることに応じて、当該外部記憶手段に記憶された情報を識別する識別手段と、
識別した情報に応じて前記複数の処理手段のうち、電源を給電すべき処理手段を特定する特定手段と、
特定された処理手段へ電源を給電する制御手段と、
を備えることを特徴とする画像形成装置。
【請求項２】
所定の画像処理を行う複数の処理手段と、
外部記憶手段を接続する接続手段と、
前記外部記憶手段が接続されることに応じて、当該外部記憶手段にデータを読み書き状態を識別する識別手段と、
識別した読み書き状態に応じて前記複数の処理手段のうち、電源を給電すべき処理手段を特定する特定手段と、
特定された処理手段へ電源を給電する制御手段と、
を備えることを特徴とする画像形成装置。
【請求項３】
所定の画像処理を行う複数の処理手段と、
外部記憶手段を接続する接続手段と、
前記外部記憶手段が接続されることに応じて、当該外部記憶手段に記憶されたデータに対する権限状態を識別する識別手段と、
識別した権限状態に応じて前記複数の処理手段のうち、電源を給電すべき処理手段を特定する特定手段と、
特定された処理手段へ電源を給電する制御手段と、
を備えることを特徴とする画像形成装置。
【請求項４】
所定の画像処理を行う複数の処理手段と、
外部記憶手段を接続する接続手段と、
前記外部記憶手段が接続されることに応じて、当該外部記憶手段に記憶されたデータに対する更新回数状態を識別する識別手段と、
識別した更新回数状態に応じて前記複数の処理手段のうち、電源を給電すべき処理手段を特定する特定手段と、
特定された処理手段へ電源を給電する制御手段と、
を備えることを特徴とする画像形成装置。
【請求項５】
所定の画像処理を行う複数の処理手段と、
外部記憶手段を接続する接続手段と、
前記外部記憶手段が接続されることに応じて、当該外部記憶手段に記憶されたデータに付加されるバージョン情報を識別する識別手段と、
識別したバージョン情報に応じて前記複数の処理手段のうち、電源を給電すべき処理手段を特定する特定手段と、
特定された処理手段へ電源を給電する制御手段と、
を備えることを特徴とする画像形成装置。
【請求項６】
所定の画像処理を行う複数の処理手段と、
外部記憶手段を接続する接続手段と、
前記外部記憶手段が接続されることに応じて、当該外部記憶手段に記憶されたデータを利用可能なユーザであるかどうかを識別する識別手段と、
識別したユーザに応じて前記複数の処理手段のうち、電源を給電すべき処理手段を特定する特定手段と、
特定された処理手段へ電源を給電する制御手段と、
を備えることを特徴とする画像形成装置。
【請求項７】
所定の画像処理を行う複数の処理手段と、
外部記憶手段を接続する接続手段と、
前記外部記憶手段が接続されることに応じて、当該外部記憶手段に記憶されたデータをオープン可能かどうかを識別する識別手段と、
前記データをオープン可能であると識別した場合、前記複数の処理手段のうち、電源を給電すべき処理手段を特定する特定手段と、
特定された処理手段へ電源を給電する制御手段と、
を備えることを特徴とする画像形成装置。
【請求項８】
前記処理手段は、印刷手段と、読取手段と、画像処理手段と、前記印刷手段と、前記読取手段と、前記画像処理手段とを制御する制御手段と、を含むことを特徴とする請求項１乃至７のいずれか１項に記載の画像形成装置。
【請求項９】
前記外部記憶手段に記憶された情報は、印刷データ、電源指示データ、制御テキストデータであることを特徴とする請求項１記載の画像形成装置。
【請求項１０】
前記識別手段は、前記外部記憶手段にデータに書き込み制限が設定されている場合、前記外部記憶手段にデータを書き込み可能な空き容量がない場合、前記外部記憶手段を認識できない場合、データを書き込みできない状態であると識別することを特徴とする請求項２記載の画像形成装置。
【請求項１１】
前記識別手段は、前記外部記憶手段を認識できない場合、データを読み込みできない状態であると識別することを特徴とする請求項２記載の画像形成装置。
【請求項１２】
前記制御手段は、前記外部記憶手段からデータを読み込みできない状態で、かつ、データを書き込みできる状態であると識別した場合、前記処理手段のうち、印刷手段に電源を給電しないように制御することを特徴とする請求項２記載の画像形成装置。
【請求項１３】
前記制御手段は、前記外部記憶手段からデータを読み込みできる状態で、かつ、データを書き込みできない状態であると識別した場合、前記処理手段のうち、読取手段に電源を給電しないように制御することを特徴とする請求項２記載の画像形成装置。
【請求項１４】
前記制御手段は、前記外部記憶手段からデータを読み込みできない状態で、かつ、データを書き込みできない状態であると識別した場合、前記処理手段のうち、印刷手段と読取手段に電源を給電しないように制御することを特徴とする請求項２記載の画像形成装置。
【請求項１５】
所定の画像処理を行うための複数の処理手段と、外部記憶手段を接続する接続手段とを備える画像形成装置の制御方法であって、
前記外部記憶手段が接続されることに応じて、当該外部記憶手段に記憶された情報を識別する識別工程と、
識別した情報に応じて前記複数の処理手段のうち、電源を給電すべき処理手段を特定する特定工程と、
特定された処理手段へ電源を給電する制御工程と、
を備えることを特徴とする画像形成装置の制御方法。
【請求項１６】
所定の画像処理を行うための複数の処理手段と、外部記憶手段を接続する接続手段とを備える画像形成装置の制御方法であって、
前記外部記憶手段が接続されることに応じて、当該外部記憶手段にデータを読み書き状態を識別する識別工程と、
識別した読み書き状態に応じて前記複数の処理手段のうち、電源を給電すべき処理手段を特定する特定工程と、
特定された処理手段へ電源を給電する制御工程と、
を備えることを特徴とする画像形成装置の制御方法。
【請求項１７】
所定の画像処理を行うための複数の処理手段と、外部記憶手段を接続する接続手段とを備える画像形成装置の制御方法であって、
前記外部記憶手段が接続されることに応じて、当該外部記憶手段に記憶されたデータに対する権限状態を識別する識別工程と、
識別した権限状態に応じて前記複数の処理手段のうち、電源を給電すべき処理手段を特定する特定工程と、
特定された処理手段へ電源を給電する制御工程と、
を備えることを特徴とする画像形成装置の制御方法。
【請求項１８】
所定の画像処理を行うための複数の処理手段と、外部記憶手段を接続する接続手段とを備える画像形成装置の制御方法であって、
前記外部記憶手段が接続されることに応じて、当該外部記憶手段に記憶されたデータに対する更新回数状態を識別する識別工程と、
識別した更新回数状態に応じて前記複数の処理手段のうち、電源を給電すべき処理手段を特定する特定工程と、
特定された処理手段へ電源を給電する制御工程と、
を備えることを特徴とする画像形成装置の制御方法。
【請求項１９】
所定の画像処理を行うための複数の処理手段と、外部記憶手段を接続する接続手段とを備える画像形成装置の制御方法であって、
前記外部記憶手段が接続されることに応じて、当該外部記憶手段に記憶されたデータに付加されるバージョン情報を識別する識別工程と、
識別したバージョン情報に応じて前記複数の処理手段のうち、電源を給電すべき処理手段を特定する特定工程と、
特定された処理手段へ電源を給電する制御工程と、
を備えることを特徴とする画像形成装置の制御方法。
【請求項２０】
所定の画像処理を行うための複数の処理手段と、外部記憶手段を接続する接続手段とを備える画像形成装置の制御方法であって、
前記外部記憶手段が接続されることに応じて、当該外部記憶手段に記憶されたデータを利用可能なユーザであるかどうかを識別する識別工程と、
識別したユーザに応じて前記複数の処理手段のうち、電源を給電すべき処理手段を特定する特定工程と、
特定された処理手段へ電源を給電する制御工程と、
を備えることを特徴とする画像形成装置の制御方法。
【請求項２１】
所定の画像処理を行うための複数の処理手段と、外部記憶手段を接続する接続手段とを備える画像形成装置の制御方法であって、
前記外部記憶手段が接続されることに応じて、当該外部記憶手段に記憶されたデータをオープン可能かどうかを識別する識別工程と、
前記データをオープン可能であると識別した場合、前記複数の処理手段のうち、電源を給電すべき処理手段を特定する特定工程と、
特定された処理手段へ電源を給電する制御工程と、
を備えることを特徴とする画像形成装置の制御方法。
【請求項２２】
請求項１５乃至２１のいずれか１項に記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
現在、オフィスにおいて省電力効果の高い画像形成装置が要望されている。そのため、画像形成装置のＯＦＦ／ＯＮや、画像形成装置全体の省電力モードだけではなく、スタンバイ中またはジョブ処理中であっても使用しない個所の電源を落とす事で、より実効電力を低減できる画像形成装置が考えられている。特許文献１では、オーディオデバイスがコンピュータに接続された時、デバイス自身がデバイス内に格納されているファイル種別を判定し、コンピュータのオーディオコントローラをＯＦＦ／ＯＮする方法が提案されている。
【先行技術文献】
【特許文献】
【０００３】
【特許文献１】特許第３１０１５９２号公報
【発明の概要】
【発明が解決しようとする課題】
【０００４】
しかしながら、プリンタやスキャナ等を搭載した画像形成装置、いわゆる複合機にＵＳＢストレージのようなデバイスを外部接続した場合、実行するジョブ、例えばスキャンやプリントによって、装置内の使用するデバイスが異なる。
また、ＵＳＢストレージやＳＤカードのような外部記憶装置を画像形成装置に接続する場合、画像形成装置をジョブが実行できる状態にする必要がある。
【０００５】
さらに、複合機のプリンタ部は、トナーを紙に定着させるために、一定温度まで定着ユニットを昇温させる必要があるので、プリントするまでに時間を要し、定着ユニットの昇温には多くの電力を消費する。
【０００６】
また、画像形成装置の他の個所、例えばスキャナ部は、スキャン時に発光が必要なため、多くの電力を要する。このため、プリンタ部やスキャナ部など、装置内の各個所のそれぞれへ通電するか否かで画像形成装置の消費電力が大幅に変動する。
【０００７】
本発明は、上記の課題を解決するためになされたもので、本発明の目的は、接続される外部記憶手段を識別して給電すべき処理手段を特定することで、使用されない処理手段へ電源が給電されてしまうことを制限できる仕組みを提供することである。
【課題を解決するための手段】
【０００８】
上記目的を達成する本発明の画像形成装置は以下に示す構成を備える。
所定の画像処理を行うための複数の処理手段と、外部記憶手段を接続する接続手段と、前記外部記憶手段が接続されることに応じて、当該外部記憶手段に記憶された情報を識別する識別手段と、識別した情報に応じて前記複数の処理手段のうち、電源を給電すべき処理手段を特定する特定手段と、特定された処理手段へ電源を給電する制御手段と、
を備えることを特徴とする。
【発明の効果】
【０００９】
本発明によれば、接続される外部記憶手段を識別して給電すべき処理手段を特定することで、使用されない処理手段へ電源が給電されてしまうことを制限できる。
【図面の簡単な説明】
【００１０】
【図１】画像形成装置の構成を説明するブロック図である。
【図２Ａ】図１に示した画像形成装置のハードウエアに対する通電状態を示す図である。
【図２Ｂ】図１に示した画像形成装置のハードウエアに対する通電状態を示す図である。
【図２Ｃ】図１に示した画像形成装置のハードウエアに対する通電状態を示す図である。
【図２Ｄ】図１に示した画像形成装置のハードウエアに対する通電状態を示す図である。
【図２Ｅ】図１に示した画像形成装置のハードウエアに対する通電状態を示す図である。
【図２Ｆ】図１に示した画像形成装置のハードウエアに対する通電状態を示す図である。
【図３】画像形成装置の制御方法を説明するフローチャートである。
【図４】画像形成装置の制御方法を説明するフローチャートである。
【図５】画像形成装置による印刷可能性の判断情報を示す図である。
【図６】画像形成装置の制御方法を説明するフローチャートである。
【図７】外部記憶装置に記憶される制御用テキストデータを示す図である。
【図８】画像形成装置の制御方法を説明するフローチャートである。
【図９】外部記憶装置に記憶される制御用テキストデータを示す図である。
【図１０】画像形成装置の制御方法を説明するフローチャートである。
【図１１】画像形成装置の制御方法を説明するフローチャートである。
【図１２】画像形成装置の制御方法を説明するフローチャートである。
【図１３】画像形成装置の制御方法を説明するフローチャートである。
【図１４】画像形成装置の制御方法を説明するフローチャートである。
【図１５】画像形成装置の制御方法を説明するフローチャートである。
【発明を実施するための形態】
【００１１】
次に本発明を実施するための最良の形態について図面を参照して説明する。
＜システム構成の説明＞
〔第１実施形態〕
【００１２】
図１は、本実施形態を示す画像形成装置の構成を説明するブロック図である。本例は、画像形成装置１を、スキャナ装置２とプリンタ装置４を備えるＭＦＰ（Ｍｕｌｔｉ  Ｆｕｎｃｔｉｏｎ  Ｐｒｉｎｔｅｒ）で構成した例である。本実施形態では、複数の処理手段として、スキャナ装置２とプリンタ装置４、およびコントローラ３，画像処理ユニット５等を備え、電源装置６から対応する電源が給電されることで、対応する処理を実行する。また、本ン実施形態では、後述する外部記憶装置３３には、データとして、種々のデータが記憶されている実施形態を説明する。ここで、種々のデータとは、印刷データ、電源指示データ、制御テキストデータ（詳細は後述するＰｏｗｅｒ．ｔｘｔ）
【００１３】
図１において、２は原稿読取りを行うスキャナ装置で、ＣＩＳセンサ等を備え、原稿から光学的に画像を読み取りデジタル画像に変換する。４はプリンタ装置で、感光体に現像されたトナー像をシートに転写した後、熱定着ユニットを用いて現像剤をシート上に定着させる。
８は操作部で、液晶タッチパネルのような設定状態表示およびユーザ操作可能な操作表示画面と、テンキーのような操作ボタンから構成される。
【００１４】
１４はハードディスク装置（ＨＤＤ）で、デジタル画像や制御プログラム等を記憶する。７はＦＡＸ装置で、電話回線等に接続してデジタル画像データを送信したり受信したりする。３３はＵＳＢストレージやＳＤカード等で構成される外部記憶装置で、外部記憶装置Ｉ／Ｆ３２を介してＣＰＵ１３の内部バスに接続され、ＣＰＵ１３によりデータの読み出しやデータの書き込みが実行される。３はコントローラ（制御装置）で、ＣＰＵ１３を備え、各モジュールに指示を出す事により画像形成装置上でジョブを実行する。
画像形成装置１は、ＬＡＮ９経由でコンピュータ１０からデジタル画像の入出力、ジョブの発行や機器の指示等も行なうことが可能である。
【００１５】
スキャナ装置２は、自動的に原稿束を逐次入れ替えることが可能な原稿給紙ユニット１１、原稿を光学スキャンしデジタル画像に変換する事が可能なスキャナユニット１２から成り、変換された画像データはコントローラ３に送信される。
【００１６】
プリンタ装置４は、紙束から一枚ずつ逐次給紙可能な給紙ユニット１８、給紙したシートに画像データを印刷するためのマーキングユニット１６、印刷後のシートを排紙するための排紙ユニット１７から成る。コントローラ３はＣＰＵ１３を有し、スキャナ装置２及びプリンタ装置４と画像データの送受信及び保存を行う。すなわち、コントローラ３ではスキャナ装置２から受信した画像データを、メモリ１５に一時保存する。
【００１７】
その後、ハードディスク装置１４へと画像データを格納する事で画像のスキャンと保存が完了する。コントローラ３は、ハードディスク装置１４から画像データをメモリ１５に一時保存し、メモリ１５からプリンタ装置４に画像データを送信することによりプリント出力を行うことができる。
【００１８】
また、汎用画像処理部１９を有し、メモリ１５に保存した画像データを汎用画像処理部１９で、例えば縮小等の処理を行ったものを再度メモリ１５に保存することが可能な画像処理ユニット５を持っている。この汎用画像処理部１９は必要に応じて様々な場面で使用する。６は電源装置で、画像形成装置１における電源を供給する。なお、画像形成装置がＯＦＦ時、ＡＣ電源２９はスイッチ３０により絶縁されている。そして、スイッチ３０をＯＮにすることでＡＣ−ＤＣコンバータ２０にＡＣ電源が供給され、ＤＣ電源が作られる。本実施形態に示す画像形成装置はＣＰＵ１３の指示により装置全体を４つの独立した電源制御が可能である。
【００１９】
すなわち、ＣＰＵ１３からのスイッチ手段２１により、コントローラ部電力２５の電源をＯＦＦ／ＯＮ制御可能である。同様に、スイッチ手段２２はプリンタ部電力２８、スイッチ手段２３はスキャナ部電力２６、スイッチ手段２４は汎用画像処理部電力２７の電源をＯＦＦ／ＯＮ制御可能である。ＣＰＵ１３はこれらのスイッチ手段２１から２４を用いることで、適切に画像形成装置１の必要な場所に電力を供給する。
【００２０】
本実施形態に示す画像形成装置１は、コントローラ３が制御する操作部８を有し、オペレータ操作もしくは、ＬＡＮ９からの指示をＣＰＵ１３が解釈し、多彩なジョブを実行可能である。以下、実行可能な機能処理例を説明する。
〔複写機能〕
スキャナ装置２から読み込んだ画像をハードディスク装置１４に保存し、同時にプリンタ装置４を使用して印刷を行なう。
〔画像送信機能〕
スキャナ装置２から読み込んだ画像をハードディスク装置１４に保存し、ＬＡＮ９を経由してコンピュータ１０に送信する。
〔画像保存機能〕
スキャナ装置２から読み込んだ画像をハードディスク装置１４に保存し、必要に応じて画像送信や画像印刷を行なう。
〔画像印刷機能〕
コンピュータ１０から送信された例えばページ記述言語を解析し、プリンタ装置４で印刷する。
〔ＦＡＸ受信プリント〕
ＦＡＸ装置７から受信したＦＡＸ画像をハードディスク装置１４に保存し、同時にプリンタ装置４を使用して印刷を行う。
【００２１】
〔ＦＡＸ転送処理〕
ＦＡＸ装置７から受信したＦＡＸ画像をハードディスク装置１４に保存し、同時にＬＡＮ９を経由してコンピュータ１０等に転送する。
〔ＦＡＸメモリ受信処理〕
ＦＡＸ装置７から受信したＦＡＸ画像をハードディスク装置１４に保存し、オペレータからの参照を待つ。
〔ＦＡＸ送信処理〕
スキャナ装置２から読み込んだ画像をハードディスク装置１４に保存し、同時にＦＡＸ装置７から公衆回線に送信する。
〔外部記憶装置ダイレクトプリント〕
ＵＳＢストレージやＳＤカード等の外部記憶装置３３に格納されている画像を外部記憶装置Ｉ／Ｆ３２を介してハードディスク装置１４に保存し、必要に応じて画像印刷を行なう。
〔外部記憶装置ダイレクト保存機能〕
スキャナ装置２から読み込んだ画像をハードディスク装置１４に保存し、必要に応じて外部記憶装置Ｉ／Ｆ３２を介してＵＳＢストレージやＳＤカード等の外部記憶装置３３に格納する。
【００２２】
〔外部記憶装置保存機能〕
ハードディスク装置１４に保存してあるデータを、外部記憶装置Ｉ／Ｆ３２を介して外部記憶装置３３に格納する。なお、多くのケースでハードディスク装置１４を介在するのは、ジョブに失敗した場合や、電源断等の異常状態からリカバリするためである。
以下に画像形成装置が遷移可能な電力状態について説明する。
〔スリープ状態〕
このモードは画像形成装置１自体の電力を可能な限り落した状態である。
【００２３】
具体的には、ＣＰＵ１３の周辺デバイスは一般的なサスペンド状態（ＡＣＰＩ−Ｓ３等）とし、ジョブを検出可能な部分（スリープ時電力３１）のみの通電を行い、装置全体の電力を非常に少ない電力状態にすることができる。
【００２４】
具体的には、ＣＰＵ１３は装置の状態をメモリ１５に保存し、スイッチ手段２１により自分自身を含むコントローラ部電力２５の電源を落とす。この時、ＣＰＵ１３自身が動作しなくなるが、スリープ時電力３１がハードウエア的にＯＮされ、ジョブが来たことだけが分かる状態となる。
【００２５】
そして、例えば、ＬＡＮ９からのネットワーク受信、ＦＡＸ装置７からのＦＡＸコール、操作部８の操作（スリープ復帰ボタン押下等）がなされた時に、ハードウエア的にコントローラ部電力２５がＯＮとなる。
ＣＰＵ１３はメモリ１５に保存された装置の状態をメモリ１５から読みだして、再設定を行い、コントローラ部電力２５の電源がＯＦＦされる直前の状態に復帰し、スタンバイ状態へと移行する。
スリープ状態はハードウエアの多くが動作できない状態であるため、スタンバイ状態に遷移するだけの機能しかない。ジョブはスタンバイ状態に移行してから受け付ける。
【００２６】
〔スタンバイ状態〕
コントローラ部電力２５が通電されている状態である。
具体的には、操作部８からのオペレータによる操作、ＬＡＮ９からのネットワーク経由のジョブ等を受け付ける。
ことのとき、操作部８の操作表示画面の液晶バックライトは消灯されており、オペレータ操作時（スリープ復帰ボタン押下等）で液晶バックライトが点灯し、操作表示画面が起動される。
【００２７】
プリンタ部電力２８、スキャナ部電力２６、汎用画像処理部電力２７はＯＦＦとなっているため、ＣＰＵ１３はスイッチ手段２２から２４の使用するデバイスの電源を通電させた後に、所定のジョブを実行する。
例えば以下のようにジョブ種に応じて各デバイスの電源をＯＮにする。
〔複写機能〕
スキャナ部電力２６とプリンタ部電力２８をＯＮにし、先に述べたように複写機能を実現する。
〔画像送信機能〕
スキャナ部電力２６のみをＯＮにし、読みとった画像データを送信する。
〔画像保存機能〕
スキャナ部電力２６のみをＯＮにし、読みとった画像データを保存する。
〔画像印刷機能〕
プリンタ部電力２８のみをＯＮにし、様々な画像データを印刷する。
【００２８】
〔ＦＡＸ受信プリント〕
プリンタ部電力２８と汎用画像処理部電力２７をＯＮにし、受信したＦＡＸ画像に汎用画像処理を施したのちに印刷する。
〔ＦＡＸ転送処理〕
汎用画像処理部電力２７のみをＯＮにし、ＦＡＸ受信したデータを汎用画像処理したのちに転送する。
〔ＦＡＸメモリ受信処理〕
汎用画像処理部電力２７のみをＯＮにし、ＦＡＸ受信したデータを汎用画像処理した後、ハードディスク装置１４に保存する。
〔ＦＡＸ送信処理〕
スキャナ部電力２６と汎用画像処理部電力２７をＯＮにし、読み込んだＦＡＸ画像データを公衆回線に送信する。
〔外部記憶装置ダイレクトプリント〕
ＵＳＢストレージやＳＤカード等の外部記憶装置３３が接続されている時、プリンタ部電力２８をＯＮにし、様々な画像データを印刷する。
〔外部記憶装置ダイレクト保存機能〕
【００２９】
ＵＳＢストレージやＳＤカード等の外部記憶装置３３が接続されている時、スキャナ部電力２６をＯＮにし、読みとった画像データを外部記憶装置Ｉ／Ｆ３２を介してＵＳＢストレージやＳＤカード等の外部記憶装置３３に格納する。
〔外部記憶装置保存機能〕
【００３０】
ＵＳＢストレージやＳＤカード等の外部記憶装置３３が接続されている時、ハードディスク装置１４に保存してあるデータを外部記憶装置Ｉ／Ｆ３２を介してＵＳＢストレージやＳＤカード等の外部記憶装置３３に格納する。なお、いずれのジョブ種の場合であっても、汎用画像処理部電力２７をＯＮにしても構わない。
ジョブが完了したらデバイスの電源を落とすことで、使用する時だけ必要なデバイスのみを通電させることが可能となり、スタンバイ時の待機電力を削減することが可能となる。
【００３１】
図２Ａ〜図２Ｆは、図１に示した画像形成装置１のハードウエアに対する通電状態を示す図である。
図２Ａは通常状態に対応し、コントローラ部電力２５、スキャナ部電力２６、汎用画像処理部電力２７、プリンタ部電力２８が通電されている状態である。
例えば、複写機能使用時の電力状態である。
図２Ｂはスリープ状態に対応し、前述のとおり、画像形成装置１自体の電力を可能な限り落した状態である。この際、各部電力２５〜２８は通電されていない。また、このとき、コントローラ３および外部記憶装置Ｉ／Ｆ３２は通電されていないため、外部記憶装置３３が接続されてもＣＰＵ１３は外部記憶装置３３を認識できない。
【００３２】
図２Ｃはスタンバイ状態で、前述のとおり、コントローラ部電力２５が通電されている状態である。この際、スキャナ部電力２６、汎用画像処理部電力２７、プリンタ部電力２８は通電されていない。また、このとき、コントローラ３および外部記憶装置Ｉ／Ｆ３２は通電されているため、外部記憶装置３３が接続されてもＣＰＵ１３は外部記憶装置３３を認識できる。
図２Ｄは第１の省電力状態に対応し、コントローラ部電力２５、スキャナ部電力２６、汎用画像処理部電力２７が通電されている状態である。この際、プリンタ部電力２８は通電されていない。また、第１の省電力状態とは、画像送信機能／画像保存機能／ＦＡＸ送信処理／外部記憶装置ダイレクト保存機能使用時の電力状態に対応する。
図２Ｅは第２の省電力状態に対応し、コントローラ部電力２５、汎用画像処理部電力２７、プリンタ部電力２８が通電されている状態である。この際、スキャナ部電力２６は通電されていない。また、第２の省電力状態とは、画像印刷機能／ＦＡＸ受信プリント／外部記憶装置ダイレクトプリント使用時の電力状態に対応する。
【００３３】
図２Ｆは第３の省電力状態に対応し、コントローラ部電力２５、汎用画像処理部電力２７が通電されている状態である。この際、プリンタ部電力２８、スキャナ部電力２６は通電されていない。また、第３の省電力状態とは、ＦＡＸ転送処理／ＦＡＸメモリ受信処理／外部記憶装置保存機能使用時の電力状態に対応する。ただし、上記各電力状態において、各装置・ユニットに電力を供給するＡＣ−ＤＣコンバータ２０はＡＣ電源２９より電力が供給されている。
また、画像形成装置１が図２Ｃに示すスタンバイ状態のとき、操作部８は通電されているが、電力低減のため操作表示画面は消灯・停止している。図２Ｃに示すスタンバイ状態から図２Ａに示す通常状態、図２ｄに示す第１の省電力状態、図２Ｅに示す第２の省電力状態に遷移した時、操作部８の操作表示画面が起動・操作できる状態となる。
【００３４】
図３は、本実施形態を示す画像形成装置の制御方法を説明するフローチャートである。本例は、図１に示した外部記憶装置Ｉ／Ｆ３２に外部記憶装置３３が接続されたことを認識して実行される電力制御例である。なお、各ステップは、ＣＰＵ１３がＨＤＤ１４等に記憶された制御プログラムを実行することで実現される。
以下、説明では、外部記憶装置３３の一例として、ＵＳＢストレージが接続された場合を想定し、前述のとおり、図２Ｂに示したスリープ状態ではＵＳＢストレージを認識できないため、フローチャートの開始における画像形成装置１の電力状態は、図２Ｃに示したスタンバイ状態として記述する。
【００３５】
画像形成装置１の電力状態が図２Ｃに示すスタンバイ状態にあるとき、Ｓ３０１で、ＣＰＵ１３が外部記憶装置Ｉ／Ｆ３２を介してＵＳＢストレージが接続されていると認識し、Ｓ３０２に移行する。Ｓ３０２で、ユーザが画像形成装置１を操作できるようＣＰＵ１３は操作部８の操作表示画面を起動し、Ｓ３０３に移行する。
Ｓ３０３で、ＣＰＵ１３は接続されているＵＳＢストレージが、画像形成装置１が図２Ｃに示したスタンバイ状態中に新規に接続されたかを判断する。ここで、ＵＳＢストレージが新規に接続されたとＣＰＵ１３が判断した場合は、ＣＰＵ１３に対してｃｏｎｎｅｃｔ信号が入力される。
【００３６】
このため、ｃｏｎｎｅｃｔ信号がＣＰＵ１３に対して入力されている場合、ＵＳＢストレージが新規接続であり、ｃｏｎｎｅｃｔ信号が入力されていない場合は。既にＵＳＢストレージが接続された状態のままで接続状態に変化がなかった場合（つまり、新規接続ではない）と判断できる。
このとき、ＵＳＢストレージが新規接続であるとＣＰＵ１３が判断した場合は、Ｓ３０４に移行し、新規接続でないとＣＰＵ１３が判断した場合は、ＣＰＵ１３は通電等の処理を行わない。
【００３７】
Ｓ３０４で、ＣＰＵ１３は外部記憶装置Ｉ／Ｆ３２を介して、ＵＳＢストレージに対してデータ検出処理をする。ここで、ＣＰＵ１３がＵＳＢストレージ内のデータを検出した場合、Ｓ３０５に移行し、データを検出できなかったとＣＰＵ１３が判断した場合、ＣＰＵ１３は通電等の処理を行わない。
Ｓ３０５で、ＣＰＵ１３は、スキャナ部電力２６、汎用画像処理部電力２７、プリンタ部電力２８を通電し、画像形成装置１の電力状態を図２Ａの通常状態に遷移させる。
なお、Ｓ３０４で、ＣＰＵ１３がＵＳＢストレージ内のデータを検出できないとＣＰＵ１３が判断した場合、ユーザはスキャンしたデータをＵＳＢストレージ内に格納することが考えられる。このとき、Ｓ３０５で、ＣＰＵ１３が特定されるスキャナ部電力２６、汎用画像処理部電力２７を通電し、画像形成装置１の電力状態を図２Ｄに示す第１の省電力状態に遷移させるように制御しても構わない。
【００３８】
例えば、ユーザがＵＳＢストレージを画像形成装置１の外部記憶装置Ｉ／Ｆ３２に接続する場合、ＵＳＢストレージ内にデータがないとき、ＵＳＢストレージからのプリントは実行できない。このため、本実施形態では、プリンタ装置４へ通電しないため、消費電力を抑えることが可能となる。
また、ＵＳＢストレージ内にデータがある場合、ユーザはＵＳＢストレージからのプリントを行う可能性がある。このため、データがある場合にはプリンタ装置４へ通電するため、予めプリンタ装置４内の定着ユニットを昇温することが可能となり、効率的にプリントジョブを実行できる。
【００３９】
〔第２実施形態〕
図４は、本実施形態を示す画像形成装置の制御方法を説明するフローチャートである。本例は、図１に示した外部記憶装置Ｉ／Ｆ３２に外部記憶装置３３が接続されたことを認識して実行される電力制御例である。なお、各ステップは、ＣＰＵ１３がＨＤＤ１４等に記憶された制御プログラムを実行することで実現される。
【００４０】
なお、本実施形態では、第１実施形態と同様、外部記憶装置３３はＵＳＢストレージとし、前述のとおり、図２Ｂに示すスリープ状態ではＵＳＢストレージを認識できないため、フローチャートの開始における画像形成装置１の電力状態は、図２Ｃに示すスタンバイ状態として記述する。
【００４１】
画像形成装置１の電力状態が図２Ｃに示すスタンバイ状態にあるとき、Ｓ４０１で、ＣＰＵ１３が外部記憶装置Ｉ／Ｆ３２を介してＵＳＢストレージが接続されていると認識し、Ｓ４０２に移行する。
Ｓ４０２で、ユーザが画像形成装置１を操作できるようＣＰＵ１３は操作部８の操作表示画面を起動し、Ｓ４０３に移行する。Ｓ４０３で、ＣＰＵ１３は接続されているＵＳＢストレージが、画像形成装置１が図２Ｃに示すスタンバイ状態中に新規に接続されたかを判断する。ここで、ＵＳＢストレージが新規に接続されたとＣＰＵ１３が判断した場合は、ＣＰＵ１３に対してｃｏｎｎｅｃｔ信号が入力される。
【００４２】
このため、ｃｏｎｎｅｃｔ信号が入力されていると判断された場合は、ＵＳＢストレージが新規接続状態であり、ｃｏｎｎｅｃｔ信号が発行されていないと判断した場合は接続された状態のままであった（つまり、新規接続ではない）と判断できる。
このとき、ＵＳＢストレージが新規接続であると判断した場合は、Ｓ４０４に移行し、新規接続でないと判断した場合は、ＣＰＵ１３は通電等の処理を行わず、本処理を終了する。
Ｓ４０４で、ＣＰＵ１３は外部記憶装置Ｉ／Ｆを介して、ＵＳＢストレージに対してデータ検出処理をする。ここで、ＣＰＵ１３がＵＳＢストレージ内のデータを検出したと判断した場合、Ｓ４０５に移行し、データを検出できないと判断した場合、ＣＰＵ１３は通電等の処理を行わず、本処理を終了する。
Ｓ４０５で、ＣＰＵ１３は外部記憶装置Ｉ／Ｆを介して、ＵＳＢストレージ内のデータ種別を検出する。
【００４３】
ここで、ＣＰＵ１３がＵＳＢストレージ内に画像形成装置１が印刷可能なデータを検出しているかどうかを判断する。ここで、画像形成装置１が印刷可能なデータを検出しているとＣＰＵ１３が判断した場合、Ｓ４０６に移行し、印刷可能なデータを検出できていないとＣＰＵ１３が判断した場合、ＣＰＵ１３は通電等の処理を行わず、本処理を終了する。
Ｓ４０６で、ＣＰＵ１３はスキャナ部電力２６、汎用画像処理部電力２７、プリンタ部電力２８を通電し、画像形成装置１の電力状態を図２Ａの通常状態に遷移させるように制御する。
【００４４】
なお、Ｓ４０４およびｓ４０５で、ＣＰＵ１３がＵＳＢストレージ内のデータを検出できないと判断した場合および印刷可能なデータを検出できないと判断した場合、ユーザはスキャンしたデータをＵＳＢストレージ内に格納することが考えられる。このとき、ｓ４０６で、ＣＰＵ１３が特定されるスキャナ部電力２６、汎用画像処理部電力２７を通電し、画像形成装置１の電力状態を図２Ｄの第１の省電力状態に遷移させるように制御しても構わない。
【００４５】
例えば、ユーザがＵＳＢストレージを画像形成装置１の外部記憶装置Ｉ／Ｆ３２に接続する場合、ＵＳＢストレージ内に画像形成装置１が印刷可能なデータでないとき、ＵＳＢストレージからのプリントは実行できない。このため、第２実施形態ではプリンタ装置４へ通電しないため、消費電力を抑えることが可能となる。
また、ＵＳＢストレージ内に印刷可能なデータがある場合、ユーザはＵＳＢストレージからのプリントを実行できる。このため、印刷可能なデータがある場合にはプリンタ装置４へ通電するため、予めプリンタ装置４内の定着ユニットを昇温することが可能となり、効率的にプリントジョブを実行できる。また、ＵＳＢストレージ内データが印刷可能か否かの判定は、画像形成装置１がデータの拡張子やマジックナンバー等を参照することで実現可能である。
【００４６】
図５は、本実施形態を示す画像形成装置による印刷可能性の判断情報を示す図である。本例は、ＵＳＢストレージ内データが印刷可能か否かの判断を、データの拡張子で判断する例である。
図５において、例えば、ｐｄｆ／ｊｐｅｇ／ｔｉｆｆは画像データであり、画像形成装置１にデータを解析する手段があるため、印刷可能と判定される。
ｄｏｃ（Ｗｏｒｄ）／ｘｌＳ（Ｅｘｃｅｌ）は、画像形成装置１内にデータを解析する手段がないため、印刷不可能と判定される。なお、ｅｘｅ（実行ファイル）は画像データではなく、ｍｐｅｇやａｖｉは動画データであるため、印刷対象外となり印刷不可能と判定される。
【００４７】
〔第３実施形態〕
図６は、本実施形態を示す画像形成装置の制御方法を説明するフローチャートである。本例は、図１に示した外部記憶装置Ｉ／Ｆ３２に外部記憶装置３３が接続されたことを認識して実行される電力制御例である。なお、各ステップは、ＣＰＵ１３がＨＤＤ１４等に記憶された制御プログラムを実行することで実現される。
【００４８】
なお、本実施形態では、第１実施形態と同様、外部記憶装置３３はＵＳＢストレージとし、前述のとおり、図２Ｂに示すスリープ状態ではＵＳＢストレージを認識できない。このため、フローチャートの開始における画像形成装置１の電力状態は、図２Ｃに示すスタンバイ状態として記述する。
【００４９】
画像形成装置１の電力状態が図２Ｃに示すスタンバイ状態にあるとき、Ｓ６０１で、ＣＰＵ１３が外部記憶装置Ｉ／Ｆ３２を介してＵＳＢストレージが接続されていると認識し、Ｓ６０２に移行する。Ｓ６０２で、ユーザが画像形成装置１を操作できるようＣＰＵ１３は操作部８の操作表示画面を起動し、Ｓ６０３に移行する。
Ｓ６０３で、画像形成装置１はスリープ状態から復帰するための内部処理を実行し、Ｓ６０４に移行する。
Ｓ６０４で、ＣＰＵ１３は接続されているＵＳＢストレージが、画像形成装置１が図２Ｃに示すスタンバイ状態中に新規に接続されたかを判断する。ここで、ＵＳＢストレージが新規に接続されたとＣＰＵが判断した場合は、外部記憶装置Ｉ／Ｆ３２からＣＰＵ１３に対してｃｏｎｎｅｃｔ信号が入力される。
【００５０】
このため、外部記憶装置Ｉ／Ｆ３２からｃｏｎｎｅｃｔ信号が発行されている場合はＵＳＢストレージが新規接続であり、外部記憶装置Ｉ／Ｆ３２からｃｏｎｎｅｃｔ信号が発行されていない場合は接続された状態のままであったと判定できる。つまり、新規接続ではないと判定される。
このとき、ＵＳＢストレージが新規接続であるとＣＰＵ１３が判断した場合は、Ｓ６０５に移行し、新規接続でないとＣＰＵ１３が判断した場合は、ＣＰＵ１３は通電等の処理を行わず、本処理を終了する。
Ｓ６０５で、ＣＰＵ１３は外部記憶装置Ｉ／Ｆを介して、ＵＳＢストレージに対して制御用テキストデータを検出しているかどうかを判断する。
【００５１】
ここで、ＣＰＵ１３がＵＳＢストレージ内の制御用テキストデータ（Ｐｏｗｅｒ．ｔｘｔ）を検出したと判断した場合、Ｓ６０６に移行し、データを検出できないとＣＰＵ１３が判断した場合、Ｓ６０７に移行する。画像形成装置は全箇所を通電させるため、図２Ｃに示す通常状態に入る。
【００５２】
Ｓ６０６で、ＣＰＵ１３は、Ｐｏｗｅｒ．ｔｘｔの記載内容を解析して、通電箇所を決める。本実施形態で通電可能な箇所はスキャナ部電力２６、汎用画像処理部電力２７、プリンタ部電力２８である。その後、Ｓ６０８に移行する。
【００５３】
Ｓ６０８では、ＣＰＵ１３はＳ６０６で決められた通電箇所に対して通電するように図１に示したスイッチを制御する。前述通り制御用テキストデータ（Ｐｏｗｅｒ．ｔｘｔ）は存在しないとＣＰＵ１３が判断した場合、全ての機能（スキャナ部電力２６、汎用画像処理部電力２７、プリンタ部電力２８である）に通電して、本処理を終了する。なお、Ｓ６０７では、画像形成装置は全箇所を通電させるため、電力状態は、図２Ａの通常状態に入る。
【００５４】
例えば、ユーザがプリント専用のＵＳＢストレージにＰｏｗｅｒ．ｔｘｔ（プリンタはＯＮ、他機能全てＯＦＦ）を格納して、画像形成装置１の外部記憶装置Ｉ／Ｆ３２に接続する場合、制御用テキストデータを解析した結果、プリンタ装置４にしか通電しないため、消費電力を抑えることが可能となる。このため、データがある場合にはプリンタ装置４へ通電し、予めプリンタ装置４内の定着ユニットを昇温することが可能となり、効率的にプリントジョブを実行できる。
【００５５】
図７は、図１に示した外部記憶装置３３に記憶される制御用テキストデータの一例を示す図である。本例は、制御用テキストデータにプリンタ、スキャン、ＦＡＸ送信処理という機能とその通電状態が記載されている。
画像形成装置１はこの制御用テキストデータを参照してＣＰＵ１３は、、汎用画像処理部２７、プリンタ部電力２８を通電し、スキャナ部電力２６には通電せず、画像形成装置１の電力状態を図２Ｅに示す第２の省電力状態へ遷移させる制御を実行する。
〔第４実施形態〕
図８は、本実施形態を示す画像形成装置の制御方法を説明するフローチャートである。本例は、図１に示した外部記憶装置Ｉ／Ｆ３２に外部記憶装置３３が接続されたことを認識して実行される電力制御例である。なお、各ステップは、ＣＰＵ１３がＨＤＤ１４等に記憶された制御プログラムを実行することで実現される。
【００５６】
なお、本実施形態では、第１実施形態と同様、外部記憶装置３３はＵＳＢストレージとし、前述のとおり、図２Ｂに示すスリープ状態ではＵＳＢストレージを認識できない。このため、フローチャートの開始における画像形成装置１の電力状態は、図２Ｃに示すスタンバイ状態として記述する。なお、Ｓ６０１〜Ｓ６０７に関しては、図６で説明済であるため、省略する。
Ｓ７０８で、ＣＰＵ１３は、ｕｓｂストレージから読み出したＰｏｗｅｒ．ｔｘｔの中身を解析して、行われるジョブに応じた通電順番を図９に示す制御要テキストデータに基づいて決める。その後Ｓ７０９に移行する。
【００５７】
Ｓ７０９では、ＣＰＵ１３がＰｏｗｅｒ．ｔｘｔで指定された通り通電する。一部自動的に行えるジョブ（たとえば文書・画像の印刷）は自動的に行う。それによってユーザの手間を省けることができる。また不要な箇所の電源を切り落とすことで消費電力を抑えることができる。
【００５８】
なお、前述通り制御用テキストデータ（Ｐｏｗｅｒ．ｔｘｔ）は存在しない場合全ての機能（スキャナ部電力２６、汎用画像処理部電力２７、プリンタ部電力２８である）に通電する。これによってどんな状況でもユーザは画像形成装置を利用できるようになる。
【００５９】
図９は、図１に示した外部記憶装置３３に記憶される制御用テキストデータの一例を示す図である。本例は、制御用テキストデータにプリンタ、スキャン、ＦＡＸ送信処理という機能とその通電順番・実行ターゲットが記載されている。画像形成装置１はこのデータを参照して順次に機能に通電して、一部ジョブを自動的に実行することもある。
なお、図９に示す例では、以下の順番で電力制御が実行される。
制御用テキストデータによれば、プリント→コピー→スキャン→処理して発送と記憶されている。そこで、ＣＰＵ１３は、画像形成装置の電力状態を以下のように遷移させるように制御する。図２Ｅに示す第２の省電力状態→図２Ａに示す通常状態→図２Ｄに示す第１の省電力状態→図２Ｆに示す第３の省電力状態。
これにより、図１に示したハードウエアのうち、通電する箇所は以下通り遷移する。
【００６０】
図２Ｅに示す第２の省電力状態では、汎用画像処理部２７とプリンタ部電力２８に通電ンする。そして、図２Ａに示す通常状態では、汎用画像処理部２７、プリンタ部電力２８、スキャナ部電力２６を通電する。そして、図２Ｄに示す第１の省電力状態では、汎用画像処理部２７、スキャナ部電力２６を通電し、図２Ｆに示す第３の省電力状態では、汎用画像処理部２７を通電する。
【００６１】
この中で、印刷と処理のターゲットは指定されているため、画像形成装置は自動的に印刷処理を実行して、外部記憶装置に記憶されたテキストデータで指定されたファイル（Print.jpg）を出力する。そして、第４番目の処理では、処理結果を指定されたメールアドレス（a@gmail.com）に自動的に送信することができる。しかし、第３番目のスキャンと第２の番目のコピーの場合には、画像形成装置に対してユーザが部数等を操作する必要があるため、自動実行することができない。
【００６２】
このように、第３番目のスキャンと第２の番目のコピーの場合には、画像形成装置に対してユーザが部数等を操作する必要があるので、必要に応じて通電することで消費電力削減を実現できる。また、外部記憶装置に記憶されたジョブのうち、一部のジョブはユーザが手を加えずにできるため、迅速にジョブを仕上げることができる。これにより、通電時間の削減でさらに電力消費を削減できる。
【００６３】
〔第５実施形態〕
図１０は、本実施形態を示す画像形成装置の制御方法を説明するフローチャートである。本例は、図１に示した外部記憶装置Ｉ／Ｆ３２に外部記憶装置３３が接続されたことを認識して実行される電力制御例である。なお、各ステップは、ＣＰＵ１３がＨＤＤ１４等に記憶された制御プログラムを実行することで実現される。
【００６４】
なお、本実施形態では、第１実施形態と同様、外部記憶装置３３はＵＳＢストレージとし、前述のとおり、図２Ｂに示すスリープ状態ではＵＳＢストレージを認識できない。このため、フローチャートの開始における画像形成装置１の電力状態は、図２Ｃに示すスタンバイ状態として説明する。
【００６５】
画像形成装置１の電力状態が図２Ｃに示すスタンバイ状態にあるとき、Ｓ１００１で、ＣＰＵ１３が外部記憶装置Ｉ／Ｆ３２を介してＵＳＢストレージが接続されていると認識し、Ｓ１００２に移行する。Ｓ１００２で、ユーザが画像形成装置１を操作できるようＣＰＵ１３は操作部８の操作表示画面を起動し、Ｓ１００３に移行する。
Ｓ１００３で、ＣＰＵ１３は接続されているＵＳＢストレージが、画像形成装置１が図２Ｃに示すスタンバイ状態中に新規に接続されたかを判断する。ここで、ＵＳＢストレージが新規に接続されたとＣＰＵ１３が判断した場合は、外部記憶装置Ｉ／Ｆ３２からＣＰＵ１３に対してｃｏｎｎｅｃｔ信号が入力される。
【００６６】
このため、ｃｏｎｎｅｃｔ信号がＣＰＵ１３に入力されている場合は、ＵＳＢストレージが新規接続であると判断でき、ｃｏｎｎｅｃｔ信号が入力されていない場合は、接続された状態のままであった（つまり、新規接続ではない）とＣＰＵ１３は判断できる。
このとき、ＵＳＢストレージが新規接続であるとＣＰＵ１３が判断した場合は、Ｓ１００４に移行し、新規接続でないとＣＰＵ１３が判断した場合は、ＣＰＵ１３は通電等の処理を行わず、本処理を終了する。
Ｓ１００４で、ＣＰＵ１３は、ＵＳＢストレージが読み込み可能であるかを判定する。Ｓ１００４の詳細については、図１１の（Ａ）にて説明する。
Ｓ１００５で、ＣＰＵ１３は、ＵＳＢストレージが書き込み可能であるかを判定する。Ｓ１００５の詳細については、図１１の（Ｂ）にて説明する。
Ｓ１００６で、ＣＰＵ１３は、Ｓ１００４、Ｓ１００５での判定の結果に応じて、電力状態を以下のように遷移させる制御を実行する。
【００６７】
すなわち、ＵＳＢストレージが、読み込み可能で、かつ、書き込み可能であると判断できた場合、Ｓ１００７へ進む。そして、ＣＰＵ１３は、スキャナ部電力２６、汎用画像処理部電力２７、プリンタ部電力２８を通電し、画像形成装置１の電力状態を図２Ａに示す通常状態に遷移させる制御を行い（Ｓ１００７）、本処理を終了する。
【００６８】
また、ＵＳＢストレージが、読み込み不可で、かつ、書き込み可能であると判断できた場合、Ｓ１００８へ進む。そして、ＣＰＵ１３は、特定された読み書き状態に基づいてスキャナ部電力２６、汎用画像処理部電力２７を通電し、画像形成装置１の電力状態を図２Ｄに示す第１の省電力状態に遷移させる制御を実行して（Ｓ１００８）、本処理を終了する。これは、ＵＳＢストレージが読み込み不可であり、ＵＳＢストレージ内部のファイルを読み出しこれをプリントすることが出来ないため、プリント機能が使われる可能性が低いからである。
【００６９】
また、ＵＳＢストレージが、読み込み可能で、かつ、書き込み不可であると判断できた場合、Ｓ１００９へ進む。そして、ＣＰＵ１３は、汎用画像処理部電力２７、プリンタ部電力２８を通電し、画像形成装置１の電力状態を図２Ｅに示した第２の省電力状態に遷移させる制御を実行して（Ｓ１００９）、本処理を終了する。これは、ＵＳＢストレージが書き込み不可であり、スキャン物を格納することができないため、スキャナ機能が使われる可能性が低いからである。
また、ＵＳＢストレージが、読み込み不可で、かつ、書き込み不可であると判断できた場合、ＣＰＵ１３は通電の処理を行わず、本処理を終了する。
【００７０】
図１１は、本実施形態を示す画像形成装置の制御方法を説明するフローチャートである。本例は、図１に示した外部記憶装置Ｉ／Ｆ３２に外部記憶装置３３が接続されたことを認識して実行されるＵＳＢストレージに対する判断処理例である。なお、各ステップは、ＣＰＵ１３がＨＤＤ１４等に記憶された制御プログラムを実行することで実現される。また、図１１の（Ａ）はＵＳＢストレージの読み込み可能判定処理例であり、図１１の（Ｂ）はＵＳＢストレージの書き込み可能判定処理例である。
まず、図１１の（Ａ）に示す読み込み可能判定処理を行う場合は、ＣＰＵ１３はＵＳＢストレージがマウントされているかどうかを判断する。ここで、ＵＳＢストレージがマウントされていないと判断した場合は、読み込み不可と判定して、本処理を終了する。
【００７１】
一方、Ｓ１１０１で、ＵＳＢストレージがマウントされていると判断した場合、ＣＰＵ１３は、ＵＳＢストレージに読み込み可能ファイルが存在するかどうかを判断する。ここで、読込可能なファイルが存在しないと判断した場合は、読み込み不可と判定して、本処理を終了する。
一方、Ｓ１１０２で、読込可能なファイルが存在すると判断した場合、読み込み可能と判定し（Ｓ１１０３）、本処理を終了する。
また、図１１の（Ｂ）に示すＵＳＢストレージの書き込み可能判定処理を行う場合は、ＣＰＵ１３はＵＳＢストレージについてライトプロテクト（書き込みが禁止されている）されていないかを判断する（Ｓ１１５１）。ここで、ＵＳＢストレージについてライトプロテクトされていると判断した場合、ＣＰＵ１３はＵＳＢストレージの書き込み可能性は書き込み不可と判断して（Ｓ１１５６）、本処理を終了する。
一方、Ｓ１１５１で、ＣＰＵ１３は、ＵＳＢストレージの書き込み可能であると判断した場合、ＵＳＢストレージが書き込み可能でマウントされているかどうかを判断する（Ｓ１１５２）。ここで、ＵＳＢストレージが書き込み可能でマウントされていないとＣＰＵ１３が判断した場合、ＣＰＵ１３はＵＳＢストレージの書き込み可能性は書き込み不可と判断して（Ｓ１１５６）、本処理を終了する。
一方、Ｓ１１５２で、ＵＳＢストレージが書き込み可能でマウントされていると判断した場合、ＣＰＵ１３は、ＵＳＢストレージにデータを書き込むための空き容量が存在するかどうかを判断する（Ｓ１１５３）。ここで、ＵＳＢストレージにデータを書き込むための空き容量が存在しないと判断した場合、ＣＰＵ１３はＵＳＢストレージの書き込み可能性は書き込み不可と判断して（Ｓ１１５６）、本処理を終了する。
【００７２】
一方、Ｓ１１５３で、ＵＳＢストレージにデータを書き込むための空き容量が存在すると判断した場合、ＣＰＵ１３は、データの書き込みテストが成功したかどうかを判断する（Ｓ１１５４）。ここで、データの書き込みテストが成功しないとＣＰＵ１３が判断した場合、ＣＰＵ１３はＵＳＢストレージの書き込み可能性は書き込み不可と判断して（Ｓ１１５６）、本処理を終了する。
一方、Ｓ１１５４で、ＵＳＢストレージにデータの書き込みテストが成功したと判断した場合、ＣＰＵ１３は、ＣＰＵ１３はＵＳＢストレージの書き込み可能性は書き込み可能と判断して（Ｓ１１５５）、本処理を終了する。
【００７３】
なお、Ｓ１１５１でのライトプロテクトとは、「誤消去防止スイッチ」などの名称で、ＵＳＢストレージ本体の側面、もしくは、裏面についているスイッチが、有効になっている状態のことを示す。例えば、ＳＤカードでは、カードの表面の左横部に誤消去防止スイッチが配置されており、メモリスティックでは、カードの裏面中央部に誤消去防止スイッチが配置されている。
【００７４】
なお、第１〜第５実施形態では、図２Ｃに示すスタンバイ状態時にＵＳＢストレージが新規に接続された場合について記載した。これに対して、図２Ｂに示すスリープ状態時でもハードウエア的にＵＳＢストレージが新規に接続されたかを判定できれば、本実施形態を適用できる。
また、ＵＳＢストレージが接続されたときの処理として、図２のいずれの電力状態へ移行するかをユーザが設定可能（例えば、操作部８で設定）であってもよい。
【００７５】
〔第６実施形態〕
図１２は、本実施形態を示す画像形成装置の制御方法を説明するフローチャートである。本例は、図１に示した外部記憶装置Ｉ／Ｆ３２に外部記憶装置３３が接続されたことを認識して実行される電力制御例である。なお、各ステップは、ＣＰＵ１３がＨＤＤ１４等に記憶された制御プログラムを実行することで実現される。
【００７６】
なお、本実施形態では、第１実施形態と同様、外部記憶装置３３はＵＳＢストレージとし、前述のとおり、図２Ｂに示すスリープ状態ではＵＳＢストレージを認識できない。このため、フローチャートの開始における画像形成装置１の電力状態は、図２Ｃに示すスタンバイ状態として説明する。
画像形成装置１の電力状態が図２Ｃに示すスタンバイ状態にあるとき、Ｓ１２０１で、ＣＰＵ１３が外部記憶装置Ｉ／Ｆ３２を介してＵＳＢストレージが接続されていると認識し、Ｓ１２０２に移行する。Ｓ１２０２で、ユーザが画像形成装置１を操作できるようＣＰＵ１３は操作部８の操作表示画面を起動し、Ｓ１２０３に移行する
【００７７】
Ｓ１２０３で、ＣＰＵ１３は接続されているＵＳＢストレージが、画像形成装置１が図２Ｃに示すスタンバイ状態中に新規に接続されたかを判断する。ここで、ＵＳＢストレージが新規に接続されたとＣＰＵ１３が判断した場合は、外部記憶装置Ｉ／Ｆ３２からＣＰＵ１３に対してｃｏｎｎｅｃｔ信号が入力される。このため、ｃｏｎｎｅｃｔ信号がＣＰＵ１３に入力されている場合はＵＳＢストレージが新規接続であり、ｃｏｎｎｅｃｔ信号が入力されていない場合は接続された状態のままであった（つまり、新規接続ではない）とＣＰＵ１３は判定できる。
このとき、ＵＳＢストレージが新規接続であるとＣＰＵ１３が判断した場合は、Ｓ１２０４に移行し、新規接続でないと判断した場合は、ＣＰＵ１３は通電等の処理を行わず、本処理を終了する。
【００７８】
そして、Ｓ１２０４では、ＣＰＵ１３は外部記憶装置Ｉ／Ｆを介して、ＵＳＢストレージに対してデータ検出処理をする。具体的には、ＣＰＵ１３がＵＳＢストレージ内のデータを検出しているかどうかを判断する。ここで、ＵＳＢストレージ内のデータを検出しているとＣＰＵ１３が判断した場合、Ｓ１２０５に移行し、データを検出できないとＣＰＵ１３が判断した場合、ＣＰＵ１３は通電等の処理を行わず、本処理を終了する。
Ｓ１２０５で、ＵＳＢストレージ内に画像形成装置１が印刷可能なデータを検出しているかどうかを判断する。ここで、ＣＰＵ１３が印刷可能なデータを検出していないと判断した場合は、ＣＰＵ１３は通電等の処理を行わず、本処理を終了する。
【００７９】
一方、Ｓ１２０５で、ＵＳＢストレージ内に画像形成装置１が印刷可能なデータを検出しているとＣＰＵ１３が判断した場合は、Ｓ１２０６へ進む。
Ｓ１２０６で、ＣＰＵ１３はＵＳＢストレージ内に画像形成装置１が印刷可能なデータを識別処理するためにライセンス（権限）が必要であるか（権限状態）どうかを判断する。
これは、画像形成装置１において、一部制限された機能がある。そこで、一部制限された機能のライセンスを有効にすることによって、ユーザは当該機能を使用させることができる。そして、一部制限された機能のライセンスが画像形成装置１において有効であるとＣＰＵ１３が判断した場合、例えばハードディスク装置１４等の不揮発性記憶装置に当該機能のライセンスを有効にするライセンスフラグを立てる。そして、ＣＰＵ１３は、ハードディスク装置１４にアクセスし、ライセンスフラグが立っていれば当該機能が使用可能であると判定して処理を進める。
【００８０】
ここで、印刷可能データを処理するためにライセンスが必要であるとＣＰＵ１３が判断した場合、Ｓ１２０７に移行し、ライセンスが必要でないと判断した場合、Ｓ１２０８に移行する。そして、ＣＰＵ１３は、ライセンスから特定される処理手段に対応するスキャナ部電力２６、汎用画像処理部電力２７、プリンタ部電力２８を通電し、画像形成装置１の電力状態を図２（Ａ）に示した通常状態にする。
Ｓ１２０７では、さらに、ＣＰＵ１３は画像形成装置１に印刷可能データを処理するためのライセンスが有効であるかどうかを判断する。ここで、印刷可能データを処理するためのライセンスが有効であるとＣＰＵ１３が判断した場合、Ｓ１２０８に移行する。そして、ＣＰＵ１３はスキャナ部電力２６、汎用画像処理部電力２７、プリンタ部電力２８を通電し、画像形成装置１の電力状態を図２（Ａ）に示す通常状態にして、本処理を終了する。
【００８１】
一方、Ｓ１２０７で、ライセンスが有効でないとＣＰＵ１３が判断した場合、ＣＰＵ１３は通電等の処理を行わず、本処理を終了する。
これにより、例えば、図５において、ｄｏｃ／ｘｌｓといったデータはライセンスを有効すると画像形成装置１で処理が可能とする。このような状態で、ユーザがＵＳＢストレージを画像形成装置１の外部記憶装置Ｉ／Ｆ３２に接続する場合、ＵＳＢストレージ内にｄｏｃ／ｘｌｓといったデータしかない場合、画像形成装置１にｄｏｃ／ｘｌｓを処理するためのライセンスが有効でないと、ＵＳＢストレージからのプリントは実行できない。
このため、本実施形態ではプリンタ装置４へ通電しないため、消費電力を抑えることが可能となる。また、画像形成装置１にｄｏｃ／ｘｌｓを処理するためのライセンスが有効であれば、ユーザはＵＳＢストレージからのプリントを実行できる。
【００８２】
このため、印刷可能なデータがある場合にはプリンタ装置４へ通電するため、予めプリンタ装置４内の定着ユニットを昇温することが可能となり、効率的にプリントジョブを実行できる。
なお、ＵＳＢストレージ内の検出したデータにライセンスが必要なデータ、不要なデータが存在する場合、第１実施形態のように検出したデータが印刷可能であればプリンタ装置４へ通電してもよい。また、第６実施形態はＵＳＢストレージ接続時だけでなく、コンピュータ１０からＬＡＮ９を介して送られてきたデータであっても適用できる。
【００８３】
〔第７実施形態〕
図１３は、本実施形態を示す画像形成装置の制御方法を説明するフローチャートである。本例は、図１に示した外部記憶装置Ｉ／Ｆ３２に外部記憶装置３３が接続されたことを認識して実行される電力制御例である。なお、各ステップは、ＣＰＵ１３がＨＤＤ１４等に記憶された制御プログラムを実行することで実現される。
【００８４】
なお、本実施形態では、第１実施形態と同様、外部記憶装置３３はＵＳＢストレージとし、前述のとおり、図２Ｂに示すスリープ状態ではＵＳＢストレージを認識できない。このため、フローチャートの開始における画像形成装置１の電力状態は、図２Ｃに示すスタンバイ状態として説明する。
画像形成装置１の電力状態が図２Ｃに示すスタンバイ状態にあるとき、Ｓ１３０１で、ＣＰＵ１３が外部記憶装置Ｉ／Ｆ３２を介してＵＳＢストレージが接続されていると認識し、Ｓ１３０２に移行する。Ｓ１３０２で、ユーザが画像形成装置１を操作できるようＣＰＵ１３は操作部８の操作表示画面を起動し、Ｓ１３０３に移行する
Ｓ１３０３で、ＣＰＵ１３は接続されているＵＳＢストレージが、画像形成装置１が（ｃ）スタンバイ状態中に新規に接続されたかを判断する。ここで、ＵＳＢストレージが新規に接続された場合は、ＣＰＵ１３に対して外部記憶装置Ｉ／Ｆ３３からｃｏｎｎｅｃｔ信号が入力される。このため、ｃｏｎｎｅｃｔ信号が入力されている場合は、ＵＳＢストレージが新規接続であり、ｃｏｎｎｅｃｔ信号が発行されていない場合は接続された状態のままであった（つまり、新規接続ではない）とＣＰＵ１３は判断できる。
【００８５】
ここで、ＵＳＢストレージが新規接続であるとＣＰＵ１３が判断した場合は、Ｓ１３０４に移行し、新規接続でないとＣＰＵ１３が判断した場合は、ＣＰＵ１３は通電等の処理を行わず、本処理を終了する。
そして、Ｓ１３０４では、ＣＰＵ１３は外部記憶装置Ｉ／Ｆを介して、ＵＳＢストレージに対してデータ検出処理をする。具体的には、ＣＰＵ１３がＵＳＢストレージ内のデータを検出しているかどうかを判断する。ここで、ＵＳＢストレージ内のデータを検出しているとＣＰＵ１３が判断した場合、Ｓ１３０５に移行し、データを検出できないとＣＰＵ１３が判断した場合、ＣＰＵ１３は通電等の処理を行わず、本処理を終了する。
【００８６】
Ｓ１３０５で、Ｓ１３０４で検出されたデータにＣＰＵ１３はアクセスし、データをオープンしようとする。Ｓ１３０６で、ＣＰＵ１３がアクセスしたＵＳＢストレージ内データをオープン可能か否か判断する。ここで、オープン可能とＣＰＵ１３が判断した場合、Ｓ１３０７に移行し、オープンできないとＣＰＵ１３が判断した場合は、ＣＰＵ１３は通電等の処理を行わず、本処理を終了する。
Ｓ１３０７では、ＣＰＵ１３はオープンの可否から特定されるスキャナ部電力２６、汎用画像処理部電力２７、プリンタ部電力２８を通電し、画像形成装置１の電力状態を図２（Ａ）に示す通常状態にして、本処理を終了する。
【００８７】
ここで、データがオープンできない場合とは、例えばデータにパスワードがかけられている、暗号化されている、画像変換できない等が考えられる。もし、ＵＳＢストレージ内のデータすべてオープンできなければ、ＵＳＢストレージ内に画像形成装置１が印刷できるデータがないということと同等なので、プリンタ装置４へ通電しない。このため、本実施形態では、消費電力を抑えることが可能となる。また、１つでもＵＳＢストレージ内のデータをオープンできれば、プリンタ装置４へ通電する。このため、予めプリンタ装置４内の定着ユニットを昇温することが可能となり、効率的にプリントジョブを実行できる。
〔第８実施形態〕
図１４は、本実施形態を示す画像形成装置の制御方法を説明するフローチャートである。本例は、図１に示した外部記憶装置Ｉ／Ｆ３２に外部記憶装置３３が接続されたことを認識して実行される電力制御例である。なお、各ステップは、ＣＰＵ１３がＨＤＤ１４等に記憶された制御プログラムを実行することで実現される。なお、図１４の（ａ）は、ＵＳＢストレージに記憶されたデータの更新履歴状態（更新回数状態）を判断して、通電処理を制御する例である。また、図１４の（ｂ）は、ＵＳＢストレージに記憶されたデータに付加されているバージョン情報を判断して、通電処理を制御する例である。
【００８８】
なお、本実施形態では、第１実施形態と同様、外部記憶装置３３はＵＳＢストレージとし、前述のとおり、図２Ｂに示すスリープ状態ではＵＳＢストレージを認識できない。このため、フローチャートの開始における画像形成装置１の電力状態は、図２Ｃに示すスタンバイ状態として説明する。
画像形成装置１の電力状態が図２Ｃに示すスタンバイ状態にあるとき、Ｓ１４０１で、ＣＰＵ１３が外部記憶装置Ｉ／Ｆ３２を介してＵＳＢストレージが接続されていると認識し、Ｓ１４０２に移行する。Ｓ１４０２で、ユーザが画像形成装置１を操作できるようＣＰＵ１３は操作部８の操作表示画面を起動し、Ｓ１４０３に移行する
Ｓ１４０３で、ＣＰＵ１３は接続されているＵＳＢストレージが、画像形成装置１が（ｃ）スタンバイ状態中に新規に接続されたかを判断する。ここで、ＵＳＢストレージが新規に接続された場合は、ＣＰＵ１３に対して外部記憶装置Ｉ／Ｆ３３からｃｏｎｎｅｃｔ信号が入力される。このため、ｃｏｎｎｅｃｔ信号が入力されている場合は、ＵＳＢストレージが新規接続であり、ｃｏｎｎｅｃｔ信号が発行されていない場合は接続された状態のままであった（つまり、新規接続ではない）とＣＰＵ１３は判断できる。
ここで、ＵＳＢストレージが新規接続であるとＣＰＵ１３が判断した場合は、Ｓ１４０４に移行し、新規接続でないとＣＰＵ１３が判断した場合は、ＣＰＵ１３は通電等の処理を行わず、本処理を終了する。
【００８９】
そして、Ｓ１４０４では、ＣＰＵ１３は外部記憶装置Ｉ／Ｆを介して、ＵＳＢストレージに対してデータ検出処理をする。具体的には、ＣＰＵ１３がＵＳＢストレージ内のデータを検出しているかどうかを判断する。ここで、ＵＳＢストレージ内のデータを検出しているとＣＰＵ１３が判断した場合、Ｓ１４０５に移行し、データを検出できないとＣＰＵ１３が判断した場合、ＣＰＵ１３は通電等の処理を行わず、本処理を終了する。
Ｓ１４０５で、ＣＰＵ１３はＳ１４０４で検出されたデータにアクセスし、データの更新履歴を参照し、Ｓ１４０６に移行する。Ｓ１４０６で、ＣＰＵ１３がアクセスしたＵＳＢストレージ内データの更新履歴が所定値以上であるか判断する。ここで、所定値以上であるとＣＰＵ１３が判断した場合、Ｓ１４０７に移行し、所定以上でないとＣＰＵ１３が判断した場合、ＣＰＵ１３は通電等の処理を行わず、本処理を終了する。
Ｓ１４０７では、ＣＰＵ１３は更新履歴（更新回数状態）から特定されるスキャナ部電力２６、汎用画像処理部電力２７、プリンタ部電力２８を通電し、画像形成装置１の電力状態を図２（Ａ）に示す通常状態にして、本処理を終了する。
【００９０】
なお、本実施形態では、データの更新履歴の所定値は年月日とし、工場出荷時に規定値を設定する場合や、ユーザが操作部８やコンピュータ１０等で変更できるものとする。
また、もしＵＳＢストレージ内のデータすべての更新履歴が所定値以上できなければ、ＵＳＢストレージ内に印刷する必要のあるデータがないということと同等なので、プリンタ装置４へ通電しない。
図１４の（ｂ）では、Ｓ１４２１〜Ｓ１４２４までは、Ｓ１４０１〜Ｓ１４０４と同様の処理であるので、説明を省略する。
Ｓ１４２５で、ＣＰＵ１３はＳ１４２４で検出されたデータにアクセスし、データのバージョンを参照し、Ｓ１４２６に移行する。Ｓ１４２６で、ＣＰＵ１３がアクセスしたＵＳＢストレージ内データのバージョンが所定値以上であるか判断する。ここで、所定値以上であるとＣＰＵ１３が判断した場合、Ｓ１４２７に移行し、所定以上でないと判断した場合、ＣＰＵ１３は通電等の処理を行わず、本処理を終了する。
【００９１】
Ｓ１４２７では、ＣＰＵ１３はバージョンから特定されるスキャナ部電力２６、汎用画像処理部電力２７、プリンタ部電力２８を通電し、画像形成装置１の電力状態を図２（Ａ）に示す通常状態にして、本処理を終了する。
本実施形態で、データのバージョンの所定値とは、例えばテキストデータに文書作成ソフトウェアのバージョンが組み込まれているときや、使用した文書作成ソフトウェアによって拡張子が変わる場合が考えられる。バージョンの所定値も更新履歴の所定地同様、工場出荷時に規定値を設定する場合や、ユーザが操作部８やコンピュータ１０等で変更できるものとする。もしＵＳＢストレージ内のデータすべての更新バージョンが所定値以上できなければ、ＵＳＢストレージ内に印刷する必要のあるデータがないということと同等なので、プリンタ装置４へ通電しない。このため、本実施形態では、消費電力を抑えることが可能となる。
また、１つでもＵＳＢストレージ内のデータの更新履歴またはバージョンが所定値以上であれば、プリンタ装置４へ通電する。このため、予めプリンタ装置４内の定着ユニットを昇温することが可能となり、効率的にプリントジョブを実行できる。
【００９２】
〔第９実施形態〕
図１５は、本実施形態を示す画像形成装置の制御方法を説明するフローチャートである。本例は、図１に示した外部記憶装置Ｉ／Ｆ３２に外部記憶装置３３が接続されたことを認識して実行される電力制御例である。なお、各ステップは、ＣＰＵ１３がＨＤＤ１４等に記憶された制御プログラムを実行することで実現される。
【００９３】
なお、本実施形態では、第１実施形態と同様、外部記憶装置３３はＵＳＢストレージとし、前述のとおり、図２Ｂに示すスリープ状態ではＵＳＢストレージを認識できない。このため、フローチャートの開始における画像形成装置１の電力状態は、図２Ｃに示すスタンバイ状態として説明する。
画像形成装置１の電力状態が図２Ｃに示すスタンバイ状態にあるとき、Ｓ１５０１で、ＣＰＵ１３が外部記憶装置Ｉ／Ｆ３２を介してＵＳＢストレージが接続されていると認識し、Ｓ１５０２に移行する。Ｓ１５０２で、ユーザが画像形成装置１を操作できるようＣＰＵ１３は操作部８の操作表示画面を起動し、Ｓ１５０３に移行する
Ｓ１５０３で、ＣＰＵ１３は接続されているＵＳＢストレージが、画像形成装置１が（ｃ）スタンバイ状態中に新規に接続されたかを判断する。ここで、ＵＳＢストレージが新規に接続された場合は、ＣＰＵ１３に対して外部記憶装置Ｉ／Ｆ３３からｃｏｎｎｅｃｔ信号が入力される。このため、ｃｏｎｎｅｃｔ信号が入力されている場合は、ＵＳＢストレージが新規接続であり、ｃｏｎｎｅｃｔ信号が発行されていない場合は接続された状態のままであった（つまり、新規接続ではない）とＣＰＵ１３は判断できる。
【００９４】
ここで、ＵＳＢストレージが新規接続であるとＣＰＵ１３が判断した場合は、Ｓ１５０４に移行し、新規接続でないとＣＰＵ１３が判断した場合は、ＣＰＵ１３は通電等の処理を行わず、本処理を終了する。
Ｓ１５０４で、ＣＰＵ１３は、現在画像形成装置１を使用しているユーザがＵＳＢストレージの使用を許可されているユーザか、すなわち記憶されたデータを利用可能なユーザであるか否かを判断する。ここで、当該ユーザが許可されているとＣＰＵ１３が判断した場合は、Ｓ１５０５に移行し、許可されていないとＣＰＵ１３が判断した場合は、ＣＰＵ１３は通電等の処理を行わず、本処理を終了する。
ここで、ユーザ認証は、画像形成装置１内部にあるハードディスク装置１４等の不揮発性記憶装置にあるユーザ認証プログラムやＬＡＮ９等の外部機器と接続しているＩ／Ｆを介して、外部機器でユーザ認証を実施するものとする。
Ｓ１５０５で、ＣＰＵ１３は特定されたユーザに基づいて外部記憶装置Ｉ／Ｆを介して、ＵＳＢストレージ内にデータがあるかどうかを判断する。ここで、ＣＰＵ１３がＵＳＢストレージ内にデータがあると判断した場合、Ｓ１５０６に移行し、ＣＰＵ１３がＵＳＢストレージ内にデータがないと判断した場合、ＣＰＵ１３は通電等の処理を行わず、本処理を終了する。
【００９５】
Ｓ１５０６で、ＣＰＵ１３はスキャナ部電力２６、汎用画像処理部電力２７、プリンタ部電力２８を通電し、画像形成装置１の電力状態を図２の（Ａ）に示す通常状態に遷移させる制御を実行して、本処理を終了する。
なお、Ｓ１５０５で、ＣＰＵ１３がＵＳＢストレージ内のデータを検出できなかった場合、ユーザはスキャンしたデータをＵＳＢストレージ内に格納することが考えられる。このとき、Ｓ１５０５で、ＣＰＵ１３がスキャナ部電力２６、汎用画像処理部電力２７を通電し、画像形成装置１の電力状態を図２（Ｄ）に示す第１の省電力状態に遷移させるように制御しても構わない。
【００９６】
例えば、管理職以上でないとＵＳＢストレージの使用を許可されていないオフィスであれば、ユーザ認証機能で現在画像形成装置を使用しているユーザが管理職か否かを判定する。管理職以上と判定されれば、ユーザはＵＳＢストレージを使用することが許可されているため、ＵＳＢストレージ内のデータ判定によるプリンタ装置４への通電判定に移行する。このため、第９実施形態では使用許可がないユーザがＵＳＢストレージを画像形成装置に接続しても、プリンタ装置４へ通電しないため、消費電力を抑えることが可能となる。なお、上記第１〜第９実施形態では、図２Ｃに示すスタンバイ状態時にＵＳＢストレージが新規に接続された場合について説明した。これに対して、図２Ｂに示すスリープ状態時でもハードウエア的にＵＳＢストレージが新規に接続されたかを判定できれば、本実施例を適用できる。
また、ＵＳＢストレージが接続されたときの処理として、図２のいずれの電力状態へ移行するかをユーザが設定可能（例えば、操作部８で設定）であってもよい。
なお、上記第１〜第９実施形態を有機的、かつ、複合的に組み合わせ、ＵＳＢストレージ接続時の消費電力低減を実現してもよい。
【００９７】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００９８】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００９９】
１  画像形成装置
２  スキャナ装置
３  コントローラ
４  プリンタ装置
５  画像処理ユニット
【図１】
2014148107.tif 000003
【図２Ａ】
2014148107.tif 000004
【図２Ｂ】
2014148107.tif 000005
【図２Ｃ】
2014148107.tif 000006
【図２Ｄ】
2014148107.tif 000007
【図２Ｅ】
2014148107.tif 000008
【図２Ｆ】
2014148107.tif 000009
【図３】
2014148107.tif 000010
【図４】
2014148107.tif 000011
【図５】
2014148107.tif 000012
【図６】
2014148107.tif 000013
【図７】
2014148107.tif 000014
【図８】
2014148107.tif 000015
【図９】
2014148107.tif 000016
【図１０】
2014148107.tif 000017
【図１１】
2014148107.tif 000018
【図１２】
2014148107.tif 000019
【図１３】
2014148107.tif 000020
【図１４】
2014148107.tif 000021
【図１５】
2014148107.tif 000022